(57)【要約】【課題】            医師用テーブルやアシスタントテーブルの水平方向に対して回転自在なインスツルメントホルダーを、前記テーブルに対して容易に上下方向に回転自在にできかつ歯科医の所望の角度位置で確実に保持できるようにまた容易にホルダーが緩まないようにした歯科用インスツルメントホルダーを提供する。【解決手段】      歯科医やアシスタントが使用するテーブル１に対して水平方向に回転可能に取付けられるインスツルメントホルダー取付基盤８に対して上下方向に回動自在に設けられるインスツルメントホルダー４を設け、前記インスツルメントホルダー取付基盤８の取付支板８ｂに設けられる係止溝８ｅに係合させるための係止片９ａを有するロックレバー９をインスツルメントホルダー４に対して回転自在に設けることにより該ロックレバー９でインスツルメントホルダー４を回転フリーまたはロックするようにした。【選択図】          図２
0003164902.tif 000002
【実用新案登録請求の範囲】
【請求項１】
医師やアシスタントが使用するテーブルに設けられ、かつ該テーブルに対して水平方向に回転可能に取付けられるインスツルメントホルダー取付基盤と、該インスツルメントホルダー取付基盤に取り付けられ、かつ係止溝を有する取付支板と、前記インスツルメントホルダー取付基盤に対して上下方向に回動自在に設けられるインスツルメントホルダーと、前記インスツルメントホルダーに対して回動自在に設けられ、前記取付支板に設けられる係止溝に係合する係止片を有するロックレバーと、該ロックレバーを押圧して前記取付支板に設けられる係止溝からロック片を外すことでロック解除しインスツルメントホルダーを回転自在とし、またロックレバーを放すことによってロック片を取付支板に設けられる係止溝に係止させることにより前記インスツルメントホルダーをロックできるようにしたことを特徴とする歯科用インスツルメントホルダー。
【考案の詳細な説明】
【技術分野】
【０００１】
本考案は、歯科医またアシスタントが使用する治療器具等が載置されるテーブルに設けられるインスツルメントホルダーの起立角度を調節する機構に関する。
【背景技術】
【０００２】
歯科医やアシスタントがハンドピースなどのインスツルメントＡを使用する際、歯科医やアシスタントは患者への治療位置により、あらかじめ治療し易い治療器具の配置を考慮して治療する。従って、使用するインスツルメントＡなどの取り出し角度を調整して治療を行うようにしている。
【０００３】
このような場合に使用する従来のインスツルメントホルダーとしては、例えば、特開２００８−１７８５０４号公報に開示されている発明がある。この発明では、該ホルダー３が、テーブル１に対して回転軸３１１の部分でテーブル１に対して水平方向に回転可能であり、また、回転軸３１１に対してインスツルメント受け３１３が回転自在であることから上下方向に対しても回転可能となっている。インスツルメント２はアタッチメント３２に載置され、かつ、インスツルメント受け３１３内に挿入されたインスツルメント２は左右および上下方向に変位可能となって、歯科医やアシスタントの施術に適した向きにインスツルメント２を向けることが可能となるものである。
【０００４】
このインスツルメント受け３１３は該インスツルメント受け３１３の摺接面３１３ｈに対してホルダーアーム３１２に取付けられているブレーキシュー３１２ｄが接触し（図６〜図８参照）、インスツルメント受け３１３をホルダーアーム３１２の軸受け部３１２ｃに対して回転自在となっており、回転してもブレーキシュー３１２ｄによる摩擦抵抗によって回転を停止した位置で保持され、歯科医が所望する水平方向の角度ならびに上下方向の角度が確保されるようになっている。
【先行技術文献】
【特許文献】
【０００５】
【特許文献１】特開２００８−１７８５０４号公報
【考案の概要】
【考案が解決しようとする課題】
【０００６】
ところで、特許文献１にあるような従来の歯科用インスツルメントホルダーでは、インスツルメントホルダーの起立角度の調節を軽い力で行おうとすれば、締め付け、押し付けによる摩擦力を弱くする必要があるが、このような場合、歯科医などがインスツルメントをインスツルメントホルダーに戻した場合など、インスツルメントの重量に対し下方向に傾いてしまう。
また歯科医などがインスツルメントホルダーからインスツルメントを取り出した際、インスツルメントホースを持ち上げるとホルダー自体が上方に動いてしまうなどの解決するための課題があった。
【０００７】
さらに被施術者の体などに触れた場合、ホルダー自体の角度位置が動いてしまうなどの課題解決が急務とされていた。
以上のような課題を解決するための方法として、ホルダーに掛かる締め付けまたは押し付けによる摩擦力を強くする必要があるが、起立角度の調整が困難になるほど摩擦力を強くしなくてはならず、調整が困難であった。
さらに締め付け、押し付けを行うためにはビス等による締め付けが考えられるが、この場合、一定力で締め付けていたとしても時間経過とともに徐々に緩んでくるなどの問題があった。
【０００８】
本発明は前記した問題点を解決せんとするもので、その目的とするところは、歯科医用テーブルやアシスタントテーブルの水平方向に対して回転自在なインスツルメントホルダーを、前記テーブルに対して容易に上下方向に回転自在にでき、かつ歯科医の所望の角度位置で確実に保持できるようにまた容易にホルダーが緩まないようにした歯科用インスツルメントホルダーを提供せんとするにある。
【課題を解決するための手段】
【０００９】
本考案の歯科用インスツルメントホルダーは、前記した目的を達成せんとするもので、その手段は、歯科医やアシスタントが使用するテーブルに設けられ、かつ該テーブルに対して水平方向に回転可能に取付けられるインスツルメントホルダー取付基盤と、該インスツルメントホルダー取付基盤に取り付けられ、かつ係止溝を有する取付支板と、
前記インスツルメントホルダー取付基盤に対して上下方向に回動自在に設けられるインスツルメントホルダーと、前記インスツルメントホルダーに対して回動自在に設けられ、前記取付支板に設けられる係止溝に係合する係止片を有するロックレバーと、該ロックレバーを押圧して前記取付支板に設けられる係止溝からロック片を外すことでロック解除しインスツルメントホルダーを回転自在とし、またロックレバーを放すことによってロック片を取付支板に設けられる係止溝に係止させることにより前記インスツルメントホルダーをロックできるようにしたことを特徴とする。
【考案の効果】
【００１０】
本考案の歯科用インスツルメントホルダーは、従来の歯科用インスツルメントホルダーのように締め付け、押し付けによる摩擦力によるインスツルメントホルダーの保持ではなく、確実にインスツルメントホルダーを係止しているため、歯科医などがインスツルメントをインスツルメントホルダーに戻した場合など、インスツルメントの重量に対し下方向に傾いてしまうこともなく、また歯科医などがインスツルメントホルダーからインスツルメントを取り出した際、インスツルメントホースを持ち上げるとホルダー自体が上方に動くことはない。
【００１１】
さらにインスツルメントホルダーが確実に係止されているため被施術者の体などに触れてもホルダー自体の角度位置が動いてしまうこともない。
以上のことから、ホルダーに掛かる締め付けまたは押し付けによる摩擦力の調整などをすることもなく、歯科医やアシスタントが所望の適宜角度位置でインスツルメントを操作することができる。
【図面の簡単な説明】
【００１２】
【図１】本考案に関わる歯科用インスツルメントホルダーが歯科医用またはアシスタント用のテーブルに取り付いた状態の斜視図である。
【図２】インスツルメントホルダー本体をロックした状態の断面図である。
【図３】インスツルメントホルダー本体のロックを解除した状態の断面図である。
【考案を実施するための形態】
【００１３】
以下、本考案に係る歯科用インスツルメントホルダーの実施例を図面とともに説明する。
図１は本考案に関わる歯科用インスツルメントホルダーが歯科医用またはアシスタント用のテーブルに取り付いた状態の斜視図、図２はインスツルメントホルダー本体をロックした状態の断面図、図３はインスツルメントホルダー本体のロックを解除した状態の断面図である。    
【００１４】
本考案の実施例について説明すると、Ａは歯科治療に使用するハンドピースなどのインスツルメントである。
１はテーブルであり、歯科医やアシスタントが治療時に使用する移動用のテーブルである。アームなどに取り付けられるテーブルなどがあるが、本実施例では移動タイプのテーブルで本考案を説明する。
２はテーブル支持台、３は移動用脚であり、前記テーブル１とともに移動用テーブルを構成している。    
【００１５】
４はインスツルメントホルダーであり、図１に示すように前記テーブル１の前方下部にテーブル１に対して水平方向に回動自在に設けられている。
４ａはロックレバー回転軸であり、後述するロックレバー９の回動軸である。
４ｂはインスツルメントＡのホースがインスツルメントホルダー４後方内部に入り込むのを防止するためのストッパーである。
４ｃはインスツルメントＡが保持されるインスツルメント保持部である。    
【００１６】
５はインスツルメントホルダー取付部であり、６はバネ座、７はバネであり、後述するインスツルメントホルダー取付基盤８が水平方向に回動自在に取り付けられている。
８はインスツルメントホルダー取付基盤であり、８ａは回転軸、８ｂは取付支板、８ｃはインスツルメントホルダー回転軸であり、インスツルメントホルダー４が回転自在に軸支されている。８ｄは後述するバネ１０を係止するためのバネ係止部、８ｅは前記取付支板８ｂの略扇形形状部分に設けられる係止溝である。    
【００１７】
前記インスツルメントホルダー取付基盤８は、回転軸８ａ部で前記インスツルメントホルダー取付部５に対して水平方向に回動自在に設けられている。
９は前記インスツルメントホルダー４のロックおよびロック解除を行うためのロックレバーであり、９ａは係止片、９ｂはバネ１０を係止するためのバネ係止部であり、１０は前述したロックレバーの回転を付勢するバネである。    
【００１８】
以上の構成により、インスツルメントホルダー４の動作を説明すると、図２はインスツルメントホルダー４が適宜位置でロックされている状態であり、ロックレバー９に設けられる係止片９ａがインスツルメントホルダー取付支板８ｂに設けられる係止溝８ｅに係止されている。    
【００１９】
この状態で、歯科医やアシスタントは治療し易い治療器具の配置、すなわちインスツルメントの取り出し方向やその角度を調整するが、その調整について図３で説明すると、前記図２に示すインスツルメントホルダー４がロックされている状態から、ロックレバー９をインスツルメントホルダー４に設けられるロックレバー回転軸４ａを中心として回転させ、取付支板８ｂに設けられる係止溝８ｅに係止されている係止片９ａを外す。    
【００２０】
これにより前記インスツルメントホルダー４は回転フリーを状態となり、歯科医やアシスタントの所望の角度でロックレバー９を放すと、ロックレバー９はバネ１０により係止溝８ｅ方向に付勢されているためロックレバー９係止片９ａは前記係止溝８ｅに係止してインスツルメントホルダー４は係止する。  この状態で歯科医やアシスタントがハンドピースなどのインスツルメントＡを使用する際、歯科医やアシスタントは治療し易い治療器具の角度位置が得られ、歯科医やアシスタントの所望の治療を行うことができる。
【符号の説明】
【００２１】
１    テーブル
２    テーブル支持台
３    移動用脚
４    インスツルメントホルダー
４ａ  ロックレバー回転軸
４ｂ  ストッパー
４ｃ  インスツルメント保持部
５    インスツルメントホルダー取付部
６    バネ座
７    バネ
８    インスツルメントホルダー取付基盤
８ａ  回転軸
８ｂ  取付支板
８ｃ  インスツルメントホルダー回転軸
８ｄ  バネ係止部
８ｅ  係止溝
９    ロックレバー
９ａ  係止片
９ｂ  バネ係止部
１０  バネ
【図１】
0003164902.tif 000003
【図２】
0003164902.tif 000004
【図３】
0003164902.tif 000005